(57)【特許請求の範囲】
【請求項１】
カレンダロールからテークオフロールを介して供給される帯状体に表面形成を行うエンボスロールと、このエンボスロールに帯状体を押圧するラバーロールとを１対とするエンボスロール装置において、
前記エンボスロールと前記ラバーロールの両端をそれぞれ軸支する軸箱と、この各軸箱を上下方向に伸縮可能に支持するシリンダと、この各シリンダを支持しており各ロール軸方向に開いた「コ」の字型のロール支持フレームと、このロール支持フレームを「コ」の字の開いた方向と反対方向に移動可能に支持する固定フレームと、を備え、前記エンボスロールの軸箱を支持するシリンダはロール支持フレームの「コ」の字型の上部水平部材に設けられ、前記ラバーロールの軸箱を支持するシリンダはロール支持フレームの「コ」の字型の下部水平部材に設けられていること特徴とするエンボスロール装置。
【発明の詳細な説明】
【０００１】
【発明の属する技術分野】
本発明は、プラスチックフイルムなどを製造するカレンダ設備に設けられ、プラスチックフイルムなどに凹凸模様を形成するエンボスロール装置に関する。
【０００２】
【従来の技術】
カレンダ設備は塩化ビニル樹脂などを使用してフイルムやシートを形成したり、布や紙などの上にプラスチックを被覆するのに使用している。図３はこのようなカレンダ設備の構成を示す。カレンダロールは数本（４本がよく用いられる）の加熱ロールより構成され、プラスチックのフイルムなどの帯状体を生成する。テークオフロールはこのプラスチックフイルムをカレンダロールから取り出し幅方向（プラスチックフイルムの搬送方向と直交する方向）に収縮するのを防止するため保温しながらエンボスロール装置へ搬送する。エンボスロール装置はプラスチックフイルムに凹凸模様を印下するエンボスロール５と、プラスチックフイルムをエンボスロール５に押圧するラバーロール６とからなる。凹凸模様を印下されたプラスチックフイルムはクーリングロールで冷却される。
【０００３】
【発明が解決しようとする課題】
プラスチックフイルムは連続して生成されるが、凹凸模様は一定長さごとに変更されることが多い。この変更にはエンボスロール５を交換する必要があり、交換作業はプラスチックフイルムを切断し、図３に破線で示すようにエンボスロール５とラバーロール６を上下に引き離し、ライン方向（プラスチックフイルムの搬送方向）と直交する方向（幅方向）に引き出しロール交換をしていた。しかし、エンボスロール装置の上流側にはテークオフロールのフレームがあり、下流側にはクーリングロール装置が接近しており、フイルムの切断、ロール交換後の接続作業に手間が掛かり生産性を低下させていた。
【０００４】
本発明はかかる問題点を解決すために創案されたものである。すなわち、本発明の目的は、帯状体を切断することなくエンボスロールを交換できるエンボスロール装置を提供することにある。
【０００５】
【課題を解決するための手段】
上記目的を達成するため、請求項１の発明では、カレンダロールからテークオフロールを介して供給される帯状体に表面形成を行うエンボスロールと、このエンボスロールに帯状体を押圧するラバーロールとを１対とするエンボスロール装置において、
前記エンボスロールと前記ラバーロールの両端をそれぞれ軸支する軸箱と、この各軸箱を上下方向に伸縮可能に支持するシリンダと、この各シリンダを支持しており各ロール軸方向に開いた「コ」の字型のロール支持フレームと、このロール支持フレームを「コ」の字の開いた方向と反対方向に移動可能に支持する固定フレームと、を備え、前記エンボスロールの軸箱を支持するシリンダはロール支持フレームの「コ」の字型の上部水平部材に設けられ、前記ラバーロールの軸箱を支持するシリンダはロール支持フレームの「コ」の字型の下部水平部材に設けられている。
【０００６】
エンボスロールを交換する場合は、まずシリンダを伸縮してエンボスロールを上昇し、ラバーロールを降下させ帯状体から離し、次にロール支持フレームを「コ」の字の開いた方向と反対方向に移動する。これにより帯状体は「コ」の字の開いた口を通りロール支持フレームから抜くことができ、帯状体を切断する必要がない。帯状体が完全に抜けた状態でエンボスロールを交換し、ロール支持フレームを元の位置の方向に移動し、「コ」の字の開いた口を帯状体が通るようにして、ロール支持フレームを元の位置に設定する。次にシリンダによりエンボスロールを降下させ、ラバーロールを上昇させて帯状体を押圧するようにし、凹凸模様の印下を再開する。これにより帯状体を切断することなしにエンボスロールを交換することができる。
【０００７】
【発明の実施の形態】
以下、本発明の好ましい実施形態を図面を参照して説明する。なお、各図において共通する部分には同一の符号を付して使用する。
図１は、本発明のエンボスロール装置の正面図と部分断面図である。図２は図１のＸ−Ｘ矢視図で側面図である。以下図１と図２を参照して本装置を説明する。
【０００８】
ロール支持フレーム１は、上部水平部材１ａと下部水平部材１ｂとこの両水平部材１ａ，１ｂの端部を結ぶ結合部材１ｃからなり、「コ」の字を形成しており、図１で左側が開いた口となっている。上部水平部材１ａと下部水平部材１ｂはライン方向（帯状体搬送方向）と直交する方向（以降幅方向と称する）に配置されている。この「コ」の字の開いた口側の両水平部材１ａ，１ｂの端部をロッカープレート２で結合し、ロール支持フレーム１の剛性の低下を防止している。ロッカープレート２の一方の端はヒンジ３で下部水平部材１ｂと結合され、他方の端はボルト４で上部水平部材１ａと結合されている。フイルム（帯状体）２０をロール支持フレーム１から外すときは、このボルト４を外し、ヒンジ３で回転してロッカープレート２を開いた口から外す。
【０００９】
エンボスロール５とこの下側のラバーロール６は幅方向にその軸方向が配置され、エンボスロール５の両端は上部軸箱７により軸支され、ラバーロール６の両端は下部軸箱８により軸支されている。上部軸箱７は上下方向に伸縮する上部シリンダ９と結合され、上部シリンダ９は上部水平部材１ａに取付けられている。同様に、下部軸箱８は上下方向に伸縮する下部シリンダ１０と結合され、下部シリンダ１０は下部水平部材１ｂに取付けられている。
【００１０】
ロール支持フレーム１の下部には幅方向に配置された固定フレーム１１が設けられており、上面にレール１２が配置され、ロール支持フレーム１はその下部に設けられた車輪１３によりレール１２上を走行する。この車輪１３の１個または２個にはラチェットハンドル１４が設けられ、車輪１３を回転させることによりロール支持フレーム１を幅方向に移動できるようになっている。なお、このような手動方式ではなくモータなどにより機側または遠隔駆動するようにしてもよい。
【００１１】
ロール支持フレーム１の「コ」の字の開いた口側を駆動側、この反対側を操作側と称し、駆動側でエンボスロール５とラバーロール６のいずれか一方または両方は図示しない回転駆動軸と着脱可能に結合されている。操作側には作業員が運転中などにアクセスできるようになっている。レール１２の操作側端にはストッパー１５が設けられ、ロール支持フレーム１の操作側下面に設けられたストッパ受け１６に当たりロール支持フレーム１がレール１２より脱線するのを防止する。
【００１２】
エンボスロール装置がフイルム２０に凹凸模様を印下するときのロール支持フレーム１の位置をオンライン位置とし、操作側に移動してストッパ１５に当たった位置をオフライン位置とする。ロール支持フレーム１をオンライン位置に固定するためストッパ受け１６には位置決めボルト１７が設けられ、これに対応した固定フレーム１１に設けられたボルト穴に螺合することにより、幅方向の位置決めがなされる。また固定フレーム１１の駆動側の上面には幅方向に長穴を有する位置決め駒１８が設けられ、これに対応するロール支持フレーム１の駆動側下面にピン穴が設けられ、位置決めピン１９を挿入することによりロール支持フレーム１のライン方向の位置決めがなされる。
【００１３】
次に動作について説明する。図１、図２はエンボスロール５によりフイルム２０に凹凸模様を印下している運転状態を示す。凹凸模様を変えるためエンボスロール５を交換する場合は、カレンダ設備の運転を止め、フイルム２０の搬送を停止する。次にボルト４を外しヒンジ３を回転してロッカープレート２を下げ、ロール支持フレーム１の「コ」の字の開いた口を開放する。上部シリンダ９によりエンボスロール５を上昇し、下部シリンダ１０によりラバーロール６を降下させて、フイルム２０と両ロール５，６を離す。
【００１４】
次に、位置決めボルト１７と位置決めピン１９を取り外した後、ラチェットハンドル１４を往復動してロール支持フレーム１を図１の矢印で示すように操作側に移動し、ストッパ１５に当たった所で停止する。エンボスロール５を交換した後、ロール支持フレーム１をオンライン位置にラチェットハンドル１４を往復動して戻す。この際エンボスロール５とラバーロール６の間隔は開けておきフイルム２０に当たらないようにする。オンライン位置に移動したところで位置決めボルト１７により幅方向の位置を固定し、位置決めピン１９によりライン方向の位置を固定する。次に上部シリンダ９によりエンボスロール５を降下し、下部シリンダ１０によりラバーロール６を上昇してフイルム２０を挟み運転状態とする。
【００１５】
なお、ロール支持フレーム１を操作側に引き抜いたスペースを利用して、エンボスロール５の上流に隣接するテークオフロール装置について、パス（フイルム２０の搬送路）下部のロール交換用治具および駆動側にシフトさせる治具を固定フレーム１１に取り付けることにより、テークオフロールの交換が容易にできるようになる。
【００１６】
【発明の効果】
以上の説明から明らかなように、本発明は、「コ」型のロール支持フレームを採用し操作側に往復動できるようにしたことにより、凹凸模様を変えるためエンボスロールを交換する際フイルムなどの帯状体を切断する必要がないので、帯状体の切断と接続作業がなくなり生産性が向上する。
【図面の簡単な説明】
【図１】本発明のエンボスロール装置の一部断面図を含む正面図である。
【図２】図１のＸ−Ｘ矢視図で側面図を示す。
【図３】カレンダ設備の構成を示す図である。
【符号の説明】
１  ロール支持フレーム
１ａ  上部水平部材
１ｂ  下部水平部材
１ｃ  結合部材
２  ロッカープレート
３  ヒンジ
４  ボルト
５  エンボスロール
６  ラバーロール
７  上部軸箱
８  下部軸箱
９  上部シリンダ
１０  下部シリンダ
１１  固定フレーム
１２  レール
１３  車輪
１４  ラチェットハンドル
１５  ストッパ
１６  ストッパ受け
１７  位置決めボルト
１８  位置決め駒
１９  位置決めピン
【図１】
0003736015.tif 000002
【図２】
0003736015.tif 000003
【図３】
0003736015.tif 000004